(57)【要約】【課題】  排紙装置内に排出される印刷済用紙の良好な用紙整列性を実現し、且つ用紙ジャムを防止する画像形成装置を提供する。【解決手段】  用紙整列部材にジョブシフトされた印刷済み用紙が衝突する前に、ジョブシフト方向とは反対方向に排出ローラ対を動かす。【選択図】図１
2006137557.tif 000002
【特許請求の範囲】
【請求項１】
画像形成装置本位の後段に接続され、前記画像形成装置本体から送り出されてくる印刷済用紙をジョブシフトするための搬送方向可変に構成された駆動機構を有する排紙ローラ対と、
前記排紙ローラ対のジョブシフト用駆動機構を制御する制御装置と、
前記排出ローラを傾けるタイミングを決定するために前記排出ローラの近傍に装備した用紙位置検出手段と、
前記印刷済用紙を積み重ねて収容する為の用紙積載テーブルと、
前記用紙積載テーブルを昇降させる為のテーブル駆動機構と、
前記テーブル駆動機構を制御する制御装置と用紙の最上面位置を検知する上面検出手段と、
用紙進行方向下流側に配された前記用紙積載テーブル上に排出された印刷済用紙の用紙進行方向に往復摺動する用紙整列部材と、
用紙進行方向上流側に配された用紙整列部材と、前記画像形成装置本体のオペレータと反オペレータ側にそれぞれ配された用紙進行方向に直交方向に往復摺動する一対の用紙整列部材と、
前記各用紙整列部材の位置検出手段と、
前記各用紙整列部材の駆動機構とを有する排紙装置を備えた画像形成装置であって、
前記画像形成装置から送り出されてくる印刷済用紙を用紙積載部へジョブシフトしている途中で前記排紙ローラ対がジョブシフトするときに向けた方向とは反対方向へ動くことを特徴とする排紙装置を備えた画像形成装置。
【発明の詳細な説明】
【技術分野】
【０００１】
本発明は、複写機、レーザービームプリンター等の画像形成装置に関するものである。
【背景技術】
【０００２】
画像形成装置本体の後段には排紙装置が設けられ、画像形成装置本体から出力される印刷済用紙を揃えて積み重ねていくものである。この排紙装置は製本や仕分けなどの後処理を考慮し、ジョブ毎に印刷済用紙をオペレータと反オペレータ側に選択的に搬送積載するジョブシフト機能を有しているのが一般的であり、その手段として印刷済用紙をジョブシフトする方向に排紙ローラの角度を傾け、印刷済用紙を斜めに搬送することによりジョブシフトさせている。
【０００３】
一例として、印刷済用紙の搬送方向の長さを問わずに、用紙束の整列性を確実に行える用紙整合装置が知られている。この用紙整合装置は、図６、図７に示すようにソレノイド１４、リンク、シャフト等の駆動機構によりジョブシフト角度が可変である排出ローラ対１０と、排出ローラ対１０を傾けるタイミングを決定するために前記排出ローラ対１０の近傍に装備した用紙位置検出手段８と、装置本体のオペレータと反オペレータ側にそれぞれ配された用紙進行方向に直交方向（用紙幅方向）に往復摺動する一対の用紙整列部材９ａとを有している。排出ローラ対１０はソレノイド１４の通電時、非通電時によりリンクを介してジョブシフト角度を可変可能である。各用紙整列部材９ａは用紙積載テーブルに印刷済用紙が一枚搬送される毎に、開位置から閉位置に移動し用紙整列基準部材９ｂに印刷済用紙を突き当てて揃える。また、ソレノイド１４の非通電の時は用紙は左方向に、ソレノイド１４に通電の時に用紙は右方向にジョブシフトされる。また、ソレノイドとリンクの代わりにモーターとカムを用いて、排出ローラ対の向きを変える方法もある。
【０００４】
なお、図６、図７において、１は印刷済用紙、１１は印刷済用紙搬送方向、１２は用紙整列部材の駆動方向、１３はバネである。
【発明の開示】
【発明が解決しようとする課題】
【０００５】
しかしながら、前記のような手段においては印刷済み用紙は斜めに搬送されるため、印刷済み用紙の用紙搬送方向の長さが長いと排出ローラ対に印刷済み用紙が挟み込まれているうちに印刷済み用紙が用紙整列部材に衝突してしまう。ゆえに、排紙装置内で用紙ジャムを引き起こしたり、用紙整列部材の下に用紙が潜り込んでしまい、用紙整列部材で用紙を揃えることができなく、用紙整列性不良を引き起こしたりしている。
【課題を解決するための手段】
【０００６】
本発明は、画像形成装置本位の後段に接続され、前記画像形成装置本体から送り出されてくる印刷済用紙をジョブシフトするための搬送方向可変に構成された駆動機構を有する排紙ローラ対と、排紙ローラ対のジョブシフト用駆動機構を制御する制御装置と、排出ローラを傾けるタイミングを決定するために前記排出ローラの近傍に装備した用紙位置検出手段と、印刷済用紙を積み重ねて収容する為の用紙積載テーブルと、用紙積載テーブルを昇降させる為のテーブル駆動機構と、テーブル駆動機構を制御する制御装置と用紙の最上面位置を検知する上面検出手段と、用紙進行方向下流側に配された前記用紙積載テーブル上に排出された印刷済用紙の用紙進行方向に往復摺動する用紙整列部材と、用紙進行方向上流側に配された用紙整列部材と、前記画像形成装置本体のオペレータと反オペレータ側にそれぞれ配された用紙進行方向に直交方向に往復摺動する一対の用紙整列部材と、前記各用紙整列部材の位置検出手段と、前記各用紙整列部材の駆動機構とを有する排紙装置を備えた画像形成装置であって、前記画像形成装置から送り出されてくる印刷済用紙を用紙積載部へジョブシフトしている途中で前記排紙ローラ対がジョブシフトするときに向けた方向とは反対方向へ動くことを特徴とする。
【発明の効果】
【０００７】
本発明の画像形成装置は、排紙装置の排出ローラ対の動作を制御することにより、用紙整列部材への衝突や用紙整列部材下部への潜り込みを防止できる。
【発明を実施するための最良の形態】
【０００８】
印刷済み用紙をジョブシフトしたときに用紙整列部材への衝突を回避するという目的を、排出ローラ対をジョブシフトしている途中でジョブシフト方向と反対方向へ動かすことにより実現した。以下本発明を実施例図面によって説明する。
【０００９】
図１と図２は本発明になる画像形成装置の排紙装置の一実施例である。
図１において、図示しない画像形成装置から搬送されてくる印刷済用紙１は、モーター２、カム３、ベアリング５、排出ローラ駆動シャフト６、カムポジション検出板４、カムポジション検出手段７で構成される駆動手段により角度が可変である排出ローラ対１０によってジョブシフトしたい方向、図では矢印１１の方向に角度をもって搬送され、図示しない駆動手段によって矢印１２の方向に摺動する用紙整列部材９ａによって寄せられた印刷済用紙１が用紙整列基準部材９ｂに突き当てられて整列され積載される。この時、用紙搬送方向の用紙位置検出手段８からの情報を基に、図２に示すように印刷済用紙１が用紙整列部材９ａに衝突する前にモーターをジョブシフトした方向とは反対方向に回転させ、排出ローラ対１０の斜行角度をジョブシフトするときに向けた方向と反対方向へ動かすことにより、印刷済用紙１が用紙整列部材９ａに衝突することなく用紙整列ができる。
【００１０】
また、図３のように排出ローラ対１０がストレートの位置をカムポジション検出板４とカムポジション検出手段７で検出し、図４、図５に示すようにモーターの回転方向により、例えば時計方向に回転する際は、カム３を介して排出ローラ対１０は右方向に傾きその結果、印刷済用紙１は右方向にジョブシフトされ、例えば反時計方向に回転する際には同様にカム３を介して排出ローラ対１０は左方向に傾き印刷済用紙１は左方向にジョブシフトされる。
【図面の簡単な説明】
【００１１】
【図１】本発明画像形成装置において、用紙を搬送している状態を示す上面図である。
【図２】本発明画像形成装置において、排出ローラ対の向きを切り替えた後の用紙搬送の状態を示す上面図である。
【図３】本発明画像形成装置において、モーター及びカムの初期状態を示す上面図である。
【図４】本発明画像形成装置において、モーターを時計方向に回転させた状態を示す上面図である。
【図５】本発明画像形成装置において、モーターを反時計方向に回転させた状態を示す上面図である。
【図６】従来の排紙装置において、ソレノイド非通電時の状態を示す上面図である。
【図７】従来の排紙装置において、ソレノイド通電時の状態を示す上面図である。
【符号の説明】
【００１２】
１は印刷済用紙、２はモーター、３はカム、４はカムポジション検出板、５はベアリング、６は排出ローラ駆動シャフト、７はカムポジション検出手段、８は用紙位置検出手段、９ａは用紙整列部材、９ｂは用紙整列基準部材、１０は排出ローラ対、１１は印刷済用紙搬送方向、１２は用紙整列部材の駆動方向、１３はバネ、１４はソレノイドである。
【図１】
2006137557.tif 000003
【図２】
2006137557.tif 000004
【図３】
2006137557.tif 000005
【図４】
2006137557.tif 000006
【図５】
2006137557.tif 000007
【図６】
2006137557.tif 000008
【図７】
2006137557.tif 000009